(57)【要約】【課題】  冷蔵庫または、食品庫に於いて棚奥に収納された食品等の出し入れの際、前列に置かれた食品を移動することなく取り出すことが可能、且つ落下することのないスライド式ハンガートレーを提供する。【解決手段】  フレームにスライドアーム挿入用開口部とスライド用開口部とガイドレールを設け、庫内壁面に固定するための取り外し且つ、取り付け軸を支点に回転が可能な吸着盤を両端部に設ける。そして、トレーにはトレーへ固定するための突出し部材と係止のための突起部を設けた取り外し可能なスライドアーム設け、スライドアーム取り付け用開口部を両側面に設けたことを特徴とするスライド式ハンガートレー。【選択図】図１
2010078301.tif 000002
【特許請求の範囲】
【請求項１】
フレームにスライドアーム挿入用開口部とスライド用開口部とガイドレールを設け、庫内壁面に固定するための取り外し且つ、取り付け軸を支点に回転が可能な吸着盤を両端部に設けたことを特徴とするスライド式ハンガートレー。
【請求項２】
トレーに取外し可能なスライドアームを設け、このスライドアームにトレーへ固定するための突出し部材と係止のための突起部を設けたことを特徴とする請求項１記載のスライド式ハンガートレー。
【請求項３】
前記のトレーにスライドアーム取付け用開口部を両側面に設けたことを特徴とする請求項１記載のスライド式ハンガートレー。
【発明の詳細な説明】
【技術分野】
【０００１】  本発明は、冷蔵庫または、食品庫に於いて棚奥に収納された食品等の出し入れの際、前列に置かれた食品を移動することなく取り出すことが可能、且つ落下することのないスライド式ハンガートレーに関するものである。
【背景技術】
【０００２】  冷蔵庫、食品庫は固定された収納棚上に食品を収納する際、サイズの小さい物は棚奥と手前にと前後複数列に整理収納されている。また、市販されている整理用トレーに載せるなどにより整理収納される。
【発明が解決しようとする課題】
【０００３】  そのために、次のような問題点があった。
（イ）棚奥に収納された食品等の出し入れの際、前列に置かれた食品を取り出すなど移動      の必要がある。
（ロ）棚奥に収納された食品の目視が煩雑になるため、長期間放置される。
（ハ）整理用トレーに収納する場合に、食品の収納または取り出しの際にトレーが落下し      ないよう手で支える、若しくはトレー自体を取り出す必要がある。
本発明は、これらの問題点を解決するためになされたものである。
【課題を解決するための手段】
【０００４】  フレームにスライドアーム挿入用開口部とスライド用開口部とガイドレールを設け、庫内壁面に固定するための取り外し且つ、取り付け軸を支点に回転が可能な吸着盤を両端部に設ける。そして、トレーにはトレーへ固定するための突出し部材と係止のための突起部を設けた取り外し可能なスライドアーム設け、スライドアーム取り付け用開口部を両側面に設けたことを特徴とするスライド式ハンガートレー。
【発明の効果】
【０００５】  本発明は、ガイドレールを備えたフレームが吸着盤により庫内壁面に固定され、トレーに係止固定されるスライドアームを、ガイドレールに滑合することで整理用トレーが落下をすることなく前後にスライドすることが出来、収納棚前後に並べられた食品類の整理および取り出しが容易に行える。
【発明を実施するための最良の形態】
【０００６】  以下、本発明の実施の形態を説明する．
（イ）ガイドレール（４）を備えたフレーム（１）の両端部の２箇所に取り外し可能な吸      着盤取り付け軸（５）を設け、庫内壁面への固定用の吸着盤（６）を設ける。また      、フレーム（１）にはスライドアーム挿入用開口部（２）を設け、スライドアーム      （７）のスライド用開口部（３）を設ける。
（ロ）スライドアーム（７）に、トレー（１０）の周縁（１１）への固定用の突出し部材      （８）を設け、トレー（１０）の突起受け用開口部（１２）への係止用の突起部（      ９）を設ける。
（ハ）トレー（１０）の側面両側に、スライドアーム（７）取り付け用の突起受け用開口      部（１２）を設ける。
本発明は以上のような構成でこれを使用するときは、図３の分解斜視図に示すようにフレーム（１）の両端部の２箇所に設けられた取り外し可能な吸着盤取り付け軸（５）に吸着盤（６）を設け、これによりフレーム（１）を庫内壁面へ固定する。
トレー（１０）には、周縁（１１）にスライドアーム（７）の突起部材（８）を掛け、トレー（１０）の側面に設けられた突起受け用開口部（１２）に取り外し可能なスライドアーム（７）の突起部（９）を係止固定する。
次に、フレーム（１）に設けられたスライドアーム挿入用開口部（２）よりスライドアーム（７）を挿入し、ガイドレール（４）に掛けトレー（１０）を前後にスライドすることで使用する。このとき、トレー（１０）に係止固定されたスライドアーム（７）は、吸着盤（６）により庫内壁面に固定されたフレーム（１）のスライド用開口部（３）の範囲内をガイドレール（４）に沿って前後するため、トレー（１０）自体を保持しなくても落下することはない。
【実施例１】
【０００７】  図３に示すようにスライドアーム（７）の係止固定用の突起受け用開口部（１２）はトレー（１０）の両側面に設けることで、取り外し可能なスライドアーム（７）は反対面に付け替えが可能となり、フレーム（１）に設けられた吸着盤（６）を吸着盤取り付け軸（５）を支点にして反転し、反対側の庫内壁面に固定することで庫内の左右どちらでも使用が可能となる。
【実施例２】
【０００８】  図１１に示すように冷蔵庫または、食品庫本体の庫内壁面（１５）に、フレーム（１）、スライドアーム挿入用開口部（２）、ガイドレール（４）および、係止溝（１４）を設け、スライドアーム（７）を装着したトレー（１０）を係止して使用することができる。
【図面の簡単な説明】
【０００９】
【図１】本発明の斜視図
【図２】本発明のトレーを手前に引き出した状態の斜視図
【図３】本発明の分解斜視図
【図４】図５に示すＡ−Ａ’部断面斜視図
【図５】本発明のガイドレール、スライドアーム、トレーを組み立てた状態の上部よりの平面図
【図６】本発明の図５の側面図
【図７】本発明の図５の正面図
【図８】フレーム上部よりの平面図
【図９】フレーム側面図
【図１０】図５に示すＡ−Ａ’部断面詳細図
【図１１】冷蔵庫内壁面にフレームを設けた場合の断面斜視図
【符号の説明】
【００１０】  １  フレーム
２  スライドアーム挿入用開口部
３  スライド用開口部
４  ガイドレール
５  吸着盤取り付け軸
６  吸着盤
７  スライドアーム
８  突出し部材
９  突起部
１０  トレー
１１  周縁
１２  突起受け用開口部
１３  引き手
１４  係止溝
１５  庫内壁面
１６  庫内収納棚
【図１】
2010078301.tif 000003
【図２】
2010078301.tif 000004
【図３】
2010078301.tif 000005
【図４】
2010078301.tif 000006
【図５】
2010078301.tif 000007
【図６】
2010078301.tif 000008
【図７】
2010078301.tif 000009
【図８】
2010078301.tif 000010
【図９】
2010078301.tif 000011
【図１０】
2010078301.tif 000012
【図１１】
2010078301.tif 000013